(57)【特許請求の範囲】
【請求項１】
互いに嵌合可能な一対のハウジングのうち、一方のハウジングには、カム溝を有するレバーが回動可能に装着されるのに対し、他方のハウジングには、前記カム溝に進入可能なカムピンが設けられており、
前記カムピンを前記カム溝内に進入させて、前記両ハウジングを仮嵌合した後に、前記レバーを初期位置から嵌合位置まで回動させるのに伴って、前記カムピンが前記カム溝に沿って移動されてそのカム作用により前記両ハウジングが正規嵌合されるものにおいて、
前記一方のハウジングには、係止部が設けられ、前記レバーには、前記係止部に係止することでレバーを前記初期位置に保持可能な弾性係止片が設けられるのに対して、前記他方のハウジングには、前記両ハウジングが仮嵌合されるのに伴って、前記弾性係止片を弾性変形させて前記係止部から解離させる解除部が設けられており、
さらには前記他方のハウジングには、前記弾性係止片を押圧可能な押圧部が前記解除部よりも嵌合方向後側に設けられ、この押圧部と弾性係止片とのうち少なくともいずれか一方には、前記両ハウジングが仮嵌合時に正規の仮嵌合深さに達するのに伴って、前記押圧部により前記弾性係止片が押圧されることで、前記レバーに対して回動方向に沿った分力を付与するとともにレバーを前記初期位置から前記嵌合位置側へ変位させるカム面が設けられていることを特徴とするレバー式コネクタ。
【請求項２】
前記カム溝の周面には、前記レバーの回動軸を中心とする円弧面が部分的に形成され、この円弧面に対して、前記両ハウジングが仮嵌合時に正規の仮嵌合深さに達すると前記カムピンが当接されるようになっていることを特徴とする請求項１記載のレバー式コネクタ。
【請求項３】
前記カム溝の周面には、前記両ハウジングが仮嵌合時に正規の仮嵌合深さに達したときに前記カムピンに当接することでカムピンが前記カム溝の奥方へ進入するのを規制可能とする一方、前記レバーを所定以上の操作力にて回動操作した場合には前記カムピンが前記カム溝の奥方へ進入するのを許容する突部が設けられていることを特徴とする請求項１または請求項２記載のレバー式コネクタ。
【発明の詳細な説明】
【０００１】
【発明の属する技術分野】
本発明は、レバー式コネクタに関する。
【０００２】
【従来の技術】
従来、レバー式コネクタの一例として特開平４−６２７７２号公報に記載されたものが知られている。このものは、一方のハウジングにカム溝を有するレバーが組み付けられるとともに他方のハウジングにカム溝に対して係合可能なカムピンが突設されている。このカム溝の周面には、カムピンに対する入り口をなす真っ直ぐな形状の真直面と、次第にレバーの回動軸に接近する形状の湾曲面とが設けられている。
両ハウジングを嵌合するには、まず両ハウジングを浅く仮嵌合してカムピンをカム溝の湾曲面側へ移行可能な位置まで進入させる。その後、レバーを回動操作することで、カムピンがカム溝の湾曲面に沿って移動されるとともに、そのカム作用によって両ハウジングが助勢されて正規嵌合されるようになっている。
【０００３】
【発明が解決しようとする課題】
しかしながら、両ハウジングを仮嵌合する際に嵌め込み深さが正規深さよりも不足する場合があり、その状態でレバーを回動させようとしても、カムピンが入り口の縁部に引っ掛かってしまい、レバーが回動できなくなってしまう。従って、その場合は改めて両ハウジングを正規深さまで仮嵌合する作業を行った後に、レバーの回動操作を行う必要があって組み付け作業性が芳しくなかった。
本発明は上記のような事情に基づいて完成されたものであって、組み付け作業性を向上させることを目的とする。
【０００４】
【課題を解決するための手段】
上記の目的を達成するための手段として、請求項１の発明は、互いに嵌合可能な一対のハウジングのうち、一方のハウジングには、カム溝を有するレバーが回動可能に装着されるのに対し、他方のハウジングには、前記カム溝に進入可能なカムピンが設けられており、前記カムピンを前記カム溝内に進入させて、前記両ハウジングを仮嵌合した後に、前記レバーを初期位置から嵌合位置まで回動させるのに伴って、前記カムピンが前記カム溝に沿って移動されてそのカム作用により前記両ハウジングが正規嵌合されるものにおいて、前記一方のハウジングには、係止部が設けられ、前記レバーには、前記係止部に係止することでレバーを前記初期位置に保持可能な弾性係止片が設けられるのに対して、前記他方のハウジングには、前記両ハウジングが仮嵌合されるのに伴って、前記弾性係止片を弾性変形させて前記係止部から解離させる解除部が設けられており、さらには前記他方のハウジングには、前記弾性係止片を押圧可能な押圧部が前記解除部よりも嵌合方向後側に設けられ、この押圧部と弾性係止片とのうち少なくともいずれか一方には、前記両ハウジングが仮嵌合時に正規の仮嵌合深さに達するのに伴って、前記押圧部により前記弾性係止片が押圧されることで、前記レバーに対して回動方向に沿った分力を付与するとともにレバーを前記初期位置から前記嵌合位置側へ変位させるカム面が設けられている構成としたところに特徴を有する。
【０００５】
請求項２の発明は、請求項１に記載のものにおいて、前記カム溝の周面には、前記レバーの回動軸を中心とする円弧面が部分的に形成され、この円弧面に対して、前記両ハウジングが仮嵌合時に正規の仮嵌合深さに達すると前記カムピンが当接されるようになっているところに特徴を有する。
【０００６】
請求項３の発明は、請求項１または請求項２に記載のものにおいて、前記カム溝の周面には、前記両ハウジングが仮嵌合時に正規の仮嵌合深さに達したときに前記カムピンに当接することでカムピンが前記カム溝の奥方へ進入するのを規制可能とする一方、前記レバーを所定以上の操作力にて回動操作した場合には前記カムピンが前記カム溝の奥方へ進入するのを許容する突部が設けられているところに特徴を有する。
【０００７】
【発明の作用及び効果】
＜請求項１の発明＞
両ハウジングを仮嵌合すると、解除部によって弾性係止片が係止部から解離しつつ弾性変形されることで、初期位置としたレバーの保持状態が解除される。その後、さらに嵌合が進行して正規の仮嵌合深さに達するのに伴って、押圧部が弾性係止片を押圧すると、カム面によってレバーに対して回動方向に沿った分力が付与されてレバーが初期位置から嵌合位置側に変位される。その後、レバーを嵌合位置へと回動操作することで、カムピンがカム溝に沿って移動することでカム作用が発揮されて両ハウジングが正規嵌合される。
レバーの変位動作の有無に基づいて両ハウジングが正規の仮嵌合深さに達したか否かを検知することができる。つまり、仮嵌合時にレバーの変位動作が確認されれば、両コネクタハウジングが正規の仮嵌合深さに達したことが保証されることになる。従って、仮嵌合作業後すぐにレバーの回動作業を行うことができ、もってレバー式コネクタの組み付け作業性を向上させることができる。
【０００８】
＜請求項２の発明＞
両ハウジングが仮嵌合時に正規の仮嵌合深さに達すると、カムピンがカム溝の円弧面に当接することで、カムピンがそれ以上奥方へ進入するのがある程度規制される。仮に正規の仮嵌合深さからさらにカムピンがカム溝の奥方へ進入したとしても、カムピンが円弧面に当接している間は、レバーが回動するものの両ハウジングの嵌合が進行するのが防がれる。
【０００９】
＜請求項３の発明＞
両ハウジングが正規の仮嵌合深さに達すると、カムピンが突部に当接することで、カムピンがカム溝の奥方へそれ以上進入するのが規制される。これにより、仮嵌合時に両ハウジングの嵌合深さを正確に正規の仮嵌合深さに留めることができる。一方、両ハウジングを正規嵌合させるべく、レバーを所定以上の操作力でもって回動操作すると、カムピンが突部を乗り越えてカム溝の奥方へと進入するのが許容され、レバーが回動されるとともに両ハウジングが正規嵌合される。
【００１０】
【発明の実施の形態】
本発明の一実施形態を図１ないし図１４によって説明する。この実施形態では、防水機能を備えたレバー式コネクタを例示する。このものは、大まかには、カム溝５３を設けたレバー５０と、シール部材４４を設けたムービングプレート４０とを組み付けた雄ハウジング２０に対して、カムピン１３を設けた雌ハウジング１０が嵌合される構成となっている。なお以下では両ハウジング１０，２０における嵌合面側を前方とし、また上下の記載は、図１、図３、図６及び図９を基準とする。
【００１１】
先に雌ハウジング１０について説明する。雌ハウジング１０は、合成樹脂製とされ、図３ないし図５に示すように、略ブロック状に形成されるとともに内部には、大小複数種類の雌端子金具１５をそれぞれ後方から挿入可能なキャビティ１１が複数室整列して設けられている。各キャビティ１１の内側面には、雌端子金具１５に対して弾性的に係止することで雌端子金具１５を抜け止め可能なランス１２が突設されている。雌端子金具１５は、略箱形に形成されるとともに内部に雄端子金具３２のタブ３３と弾性接触可能な弾性接触片（図示せず）を有する本体部と、電線Ｗの端末に圧着接続されるバレル部とを前後に備えている。バレル部は、電線Ｗのうち端末に露出した芯線と、被覆の端部に嵌着されるとともにキャビティ１１の内周面に密着可能な防水ゴム栓１６とにそれぞれかしめ付けられる前後一対ずつのかしめ片を備えている。雌ハウジング１０の上下外側面における幅方向略中央位置には、略円柱状をなすカムピン１３が一対突設されている。カムピン１３に対して図３ないし図５の左側方には、レバー５０の弾性係止片５５を弾性変形させるための解除部１４が一対突設されている。解除部１４の前端面は、弾性係止片５５が乗り上げ易くなるようテーパ状に形成されている。この解除部１４の後側には、さらに外方へ段付き状に突出する押圧部１７が連成されている。この押圧部１７は、解除部１５と同じ幅寸法を有するとともに前後に延出する細長い略ブロック状に形成されている。
【００１２】
雄ハウジング２０は、合成樹脂製とされ、図１、図２、図４及び図５に示すように、略ブロック状をなす端子収容部２１からフード部２２が前方へ突設されるとともに、端子収容部２１及びフード部２２の上下外側面に保護壁２３が連結壁２４を介してそれぞれ連結された構成となっている。このうち保護壁２３の内側に側方からレバー５０が組み付けられるとともに、フード部２２内に前方からムービングプレート４０が組み付けられている。端子収容部２１内には、雌ハウジング１０側のキャビティ１１と整合する位置に大小複数種類の雄端子金具３２を後方から挿入可能なキャビティ２５が複数室整列して設けられている。各キャビティ２５の内側面には、雌ハウジング１０側と同様に雄端子金具３２を抜け止めするためのランス２６が突設されている。雄端子金具３２は、前側から順にフード部２２内に突出するとともに細長い略板状をなすタブ３３と、略箱形をなす本体部と、電線Ｗの端末に圧着接続されるバレル部とを備えている。バレル部は、上記雌端子金具１５と同様に電線Ｗの芯線と防水ゴム栓３４とにかしめ付けられている。
【００１３】
ムービングプレート４０は、合成樹脂製とされ、端子収容部２１の前端面に対し平行且つ同形状をなす板状のプレート本体４１と、このプレート本体４１の外周から前方へ突出するとともにフード部２２の内周面に対して摺接可能とされたガイド筒部４２とを一体形成した構成である。プレート本体４１には、各雄端子金具３２のタブ３３を挿通可能なタブ挿通孔４３が複数穿設され、各タブ３３を径方向について位置決め可能となっている。ガイド筒部４２には、ゴム製のシール部材４４が一体に設けられている。シール部材４４は、ガイド筒部４２の後端部外周に沿って周設されるとともにフード部２２の内周面に密着可能な外周側シール部４５と、ガイド筒部４２の内周のうち外周側シール部４５よりも前方位置に周設されるとともに雌ハウジング１０の外周面に密着可能な内周側シール部４６とからなり、両シール部が連結孔を介して互いに連結されている。このムービングプレート４０は、プレート本体４１が端子収容部２１から離間し、タブ挿通孔４３にタブ３３の先端部を挿通する初期位置（図４）と、プレート本体４１が端子収容部２１の前端面と当接または近接し、タブ挿通孔４３にタブ３３の根元部を挿通する嵌合位置（図１４）との間をレバー５０の回動動作や雌ハウジング１０の嵌合動作に連動して前後に移動可能とされている。
【００１４】
レバー５０は、合成樹脂製とされ、一対のアーム部５１の端部を操作部５２によって連結することで全体が略門形をなしている。両アーム部５１には、詳細は後述するカム溝５３が側縁に開口して設けられている。このレバー５０は、両アーム部５１を端子収容部２１及びフード部２２と保護壁２３との間に図２及び図４の左側方（図１の右側方）から挿入するとともに、アーム部５１の操作部５２とは反対側の端部付近に穿設された軸孔５４に、フード部２２の後部幅方向略中央位置から保護壁２３へ向けて突設された軸ピン２７を嵌合することで、軸ピン２７を中心（回動軸）として回動可能に軸支されている。
【００１５】
レバー５０は、カム溝５３の入り口が前方へ向いてカムピン１３を受け入れ可能な初期位置（図４）と、カム溝５３の奥端部が軸ピン２７の直前に配される嵌合位置（図１４）との間を回動可能とされ、この回動動作に伴ってカム溝５３内に進入したカムピン１３がカム溝５３に沿って移動されることで両ハウジング１０，２０の嵌合・離脱動作が助勢されるようになっている。この回動過程では、保護壁２３によってアーム部５１が外側に開き変形するのが規制されるようになっている。なおフード部２２には、カムピン１３が進入するのを許容するカムピン用進入許容溝２８と、解除部１４が進入するのを許容する解除部用進入許容溝２９とがそれぞれ前方に開口して切欠形成されている。また連結壁２４の前端部は、カムピン用進入許容溝２８に合わせて所定幅切欠されている。
【００１６】
ここで、カム溝５３の形状について詳しく説明する。カム溝５３の左右両周面は、ほぼ真っ直ぐな形状とされるとともにカムピン１３に対する入り口をなす真直面５３ａと、次第に軸孔５４へと接近する略渦巻き状に形成されるとともにカムピン１３を引き込みまたは押し出し可能な湾曲面５３ｂとが、軸ピン２７と同心をなす円弧面５３ｃを介して繋げられた構成となっている。両真直面５３ａのうち左側の真直面５３ａＬの方が右側の真直面５３ａＲよりも長く設定されており、その差は、カムピン１３の径寸法よりも少し大きい程度に設定されている。左側の円弧面５３ｃＬと湾曲面５３ｂＬとの間には、山形をなす突部５３ｄが設けられている。
【００１７】
さて、アーム部５１のうち軸孔５４よりも操作部５２寄りの位置には、上下に弾性変形可能な片持ち状の弾性係止片５５が形成されている。この弾性係止片５５は、レバー５０の回動方向にほぼ沿った向き（両ハウジング１０，２０の嵌合方向と交差する方向）に延出して形成され、その先端には、内方へ突出する鈎部５６が設けられている（図１及び図６）。この鈎部５６は、幅寸法が弾性係止片５５よりも大きな略ブロック状に形成されるとともに、解除部用進入許容溝２９内に進入してその周縁に設けられた係止部３０に対して図５の左斜め後方を向いた係止面５６ａが係止可能とされ、これによりレバー５０が初期位置に保持されるようになっている。鈎部５６のうち右斜め前方を向いた被押圧面５６ｂは、雌ハウジング１０の押圧部１７によって前方から押圧可能とされ、弾性係止片５５の延出方向とほぼ直交する端面をなし、言い換えると両ハウジング１０，２０の嵌合方向及びレバー５０の回動方向に対して交差する傾斜面をなしている。アーム部５１の内面のうち鈎部５６の周辺部分には、押圧部１７が進入するのを許容する押圧部用進入許容凹部５８が図５における前方及び右側方に開放して形成されている（図１及び図６）。また鈎部５６のうち係止面５６ａ側の内縁部が切欠されることで、係止面５６ａよりも被押圧面５６ｂの方が面積が大きくなっている（図６）。また操作部５２のうち雄ハウジング２０と対向する面には、ロック突起５７が設けられ、レバー５０が嵌合位置まで回動されるのに伴って、雄ハウジング２０側の対向面から突設されたロック部３１に係止してレバー５０を嵌合位置に保持可能とされている（図１４）。
【００１８】
両ハウジング１０，２０を嵌合する際には、レバー５０の回動作業を行う前の段階で、両ハウジング１０，２０を所定深さ（正規の仮嵌合深さ）まで嵌め込む仮嵌合作業を行うようにしている。この仮嵌合時には、解除部用進入溝２９内に進入する解除部１４が鈎部５６の前部内縁に係合され、解除部１４のテーパ面に案内されつつ弾性係止片５５が外側へ弾性変形されるとともに鈎部５６の係止面５６ａが係止部３０から解離されるようになっている（図９）。さらに嵌合が進行すると、押圧部用進入許容凹部５８内に進入した押圧部１７により鈎部５６の被押圧面５６ｂが押圧されることで、弾性変形した状態の弾性係止片５５に対してレバー５０の回動方向に沿った分力が付与されるようになっており、これによりレバー５０が初期位置から嵌合位置側に回動変位されるようになっている。言い換えると、押圧部１７からの押圧力が傾斜面である被押圧面５６ｂのカム機能によってレバー５０を回動させる力へと変換されるようになっている。レバー５０が初期位置から嵌合位置側へ回動すると、操作部５２がフード部２２の外面から離間して側方へ突き出るので、レバー５０が回動変位したことを外部から明瞭に視認できる。
【００１９】
両ハウジング１０，２０が正規の仮嵌合深さに達すると、カムピン１３が左側の円弧面５３ｃＬに当接することで、カムピン１３がそれ以上奥方へ進入するのがある程度は規制される（図１０及び図１１）。この状態からカムピン１３がさらに奥方へ進入しても、カムピン１３が円弧面５３ｃＬに当接している間は、レバー５０が回動変位するだけで、両ハウジング１０，２０の嵌合は進行せずに正規の仮嵌合深さのまま保たれる。そして、レバー５０が所定位置まで回動したところで、カムピン１３が突部５３ｄに当接することにより、レバー５０がさらに回動してカムピン１３が湾曲面５３ｂ側へ相対変位するのが規制される（図１２及び図１３）。この突部５３ｄは、両側面が傾斜した山形に形成されているので、仮嵌合状態からレバー５０に対して所定以上の操作力を付与しつつ嵌合位置側へ回動することで、カムピン１３が突部５３ｄを乗り越えて湾曲面５３ｂ側へ相対変位するのが許容されるようになっている。
【００２０】
本実施形態は以上のような構造であり、続いてその作用について説明する。まず、図４及び図５に示すように、雌ハウジング１０に各雌端子金具１５を収容する一方、雄ハウジング２０に各雄端子金具３２を収容するとともにムービングプレート４０とレバー５０とをそれぞれ初期位置に組み付けてから、雌ハウジング１０を雄ハウジング２０のフード部２２内に嵌め込む。すると、カムピン１３がカムピン用進入許容溝２８及びカム溝５３の入り口内に進入するとともに、解除部１４が解除部用進入許容溝２９内に、押圧部１７が押圧部用進入許容凹部５８内にそれぞれ進入する。
【００２１】
図７及び図８に示すように、カムピン１３が両真直面５３ａ間に配される段階では、解除部１４が弾性係止片５５の鈎部５６の前部内縁に係合することで、図９に示すように、解除部１４のテーパ面に案内されて鈎部５６が解除部１４に乗り上げて弾性係止片５５が外側に弾性変形されるとともに鈎部５６の係止面５６が係止部３０から解離して、レバー５０の保持状態が解除される。このとき、押圧部用進入許容凹部５８内に進入した押圧部１７が弾性変形した状態の弾性係止片５５の鈎部５６の被押圧面５６ｂに対して近接または当接する位置に達している。そして、押圧部１７が鈎部５６の被押圧面５６ｂに当接した状態からさらに嵌合が進行すると、押圧部１７により鈎部５６の被押圧面５６ｂが押圧されることで、被押圧面５６ｂの傾斜によってレバー５０に対して回動方向に沿った分力が付与され、レバー５０が次第に初期位置から嵌合位置側へ回動変位される。
【００２２】
両ハウジング１０，２０が正規の仮嵌合深さに達すると、図１０及び図１１に示すように、レバーが所定位置まで回動するとともにカムピン１３が左側の円弧面５３ｃＬに当接する。このようにレバー５０が初期位置から回動変位したことをもって、両ハウジング１０，２０が正規に仮嵌合されたことが検知される。この正規の仮嵌合状態では、雌ハウジング１０の前端面がムービングプレート４０の前端面に当接または近接しているものの、両端子金具１５，３２は未だ非接触状態とされている。この仮嵌合状態では、カムピン１３の後方に所定の間隔を空けて右側の円弧面５３ｃＲが配されているから、仮に両ハウジング１０，２０を引き離そうとしても、カムピン１３が右側の円弧面５３ｃＲに引っ掛かることで離脱動作が規制されるようになっている。
【００２３】
両ハウジング１０，２０が正規の仮嵌合深さに達したときには、カムピン１３が円弧面５３ｃＬに当接している。これによりカムピン１３がさらにカム溝５３の奥方へ進入する動作がある程度は規制されるのであるが、この状態から例えば雌ハウジング１０をさらに押し込んだ場合にカムピン１３が奥方へ進入したとしても、カムピン１３が円弧面５３ｃＬに当接しているので、レバー５０がカム機能を発揮することなく嵌合位置側へ回動変位されて、両ハウジング１０，２０の嵌合は進行しない。従って、両ハウジング１０，２０は正規の仮嵌合深さのままに保たれ、両端子金具１５，３２は非接触状態に保たれる。そして、レバー５０がさらに回動すると、図１２及び図１３に示すように、カムピン１３が突部５３ｄに当接して引っ掛かることで、それ以上レバー５０が回動変位するのが規制される。これによりカムピン１３がカム溝５３の湾曲面５３ｂ側に進入するのが防がれ、両ハウジング１０，２０は確実に正規の仮嵌合深さに留められる。
【００２４】
なお、両ハウジング１０，２０が正規に仮嵌合される過程では、雌ハウジング１０の外周面に内周側シール部４６が密着することで、その嵌合抵抗が大きくなるため、作業者にとって両ハウジング１０，２０の嵌合深さを感得し難いのであるが、レバー５０の初期位置からの回動変位を目視することで容易に嵌合深さを判別することができる。
【００２５】
上記のようにして両ハウジング１０，２０が正規の仮嵌合深さまで嵌合されたら、操作部５２を掴んでレバー５０を所定以上の操作力でもって嵌合位置へと図１２及び図１３の反時計回り方向に回動操作する。すると、レバー５０の回動動作に伴ってカムピン１３が突部５３ｄを乗り越えつつ湾曲面５３ｂの奥方へと相対変位する。回動過程では、右側の湾曲面５３ｂＲによってカムピン１３が引き込まれることでカム作用が発揮されて、雌ハウジング１０がムービングプレート４０と共に雄ハウジング２０の奥方へ引き込まれて嵌合が進行する。そして、図１４に示すように、レバー５０が嵌合位置まで回動されると、カムピン１３がカム溝５３の奥端位置に達するとともに、両ハウジング１０，２０が正規嵌合されて両端子金具１５，３２が導通接続される。また操作部５２のロック突起５７がロック部３１に係合することで、レバー５０が嵌合位置から回動不能に保持される。一方、嵌合した両ハウジング１０，２０を取り外す場合は、レバー５０を嵌合位置から初期位置へ向けて図１４の時計回り方向に回動することで、左側の湾曲面５３ｂＬによってカムピン１３が押し出されるとともに両ハウジング１０，２０が離間される。
【００２６】
またこのレバー式コネクタでは、仮嵌合時に両端子金具１５，３２が非接触・非接続とされ、正規嵌合時に両端子金具１５，３２が導通接続される設定としたから、レバー５０の回動作業後に端子金具１５，３２同士の導通検査を行うようにすれば、導通の有無に基づいてレバー５０の回動作業を行ったか否かを検知することができる。
【００２７】
以上説明したように本実施形態によれば、両ハウジング１０，２０が正規の仮嵌合深さまで嵌合されるのに伴って、押圧部１７により鈎部５６の被押圧面５６ｂが押圧されることで、レバー５０に対して回動方向への分力が付与されてレバー５０が初期位置から嵌合位置側へ回動変位される。すなわち、両ハウジング１０，２０を仮嵌合する際に、レバー５０の変位動作の有無に基づいて両ハウジング１０，２０が正規の仮嵌合深さに達したか否かを検知することができる。つまり、仮嵌合時にレバー５０の変位動作が確認されれば、両ハウジング１０，２０が正規の仮嵌合深さに達したことが保証されることになる。従って、仮嵌合作業後すぐにレバー５０の回動作業を行うことができ、言い換えると従来のように仮嵌合時の嵌合深さが不足しているにも拘わらずレバーの回動作業を行ってしまうような事態を未然に回避することができ、もってレバー式コネクタの組み付け作業性を向上させることができる。
【００２８】
しかも、鈎部５６は、係止部３０に対する係止面５６ａと、押圧部１７に対する被押圧面５６ｂとを共に有しているから、例えば鈎部とは別途に押圧部によって押圧される被押圧部を専用に設けた場合と比較してレバー式コネクタの構造を簡単にすることができる。
【００２９】
さらには、両ハウジング１０，２０が正規の仮嵌合深さに達すると、カムピン１３がカム溝５３の円弧面５３ｃＬに当接することで、カムピン１３がそれ以上奥方へ進入するのがある程度規制される。仮に正規の仮嵌合状態からさらにカムピン１３がカム溝５３の奥方へ進入したとしても、カムピン１３が円弧面５３ｃＬに当接している間は、レバー５０が回動するものの、そのカム機能が発揮されない。従って、両ハウジング１０，２０の嵌合が進行することがなく、両ハウジング１０，２０内に収容された両端子金具１５，３２を非接触状態に保つことができる。さらにレバー５０が回動したとしても、カムピン１３が突部５３ｄに当接することでそれ以上奥方へ進入するのが規制される。これにより、仮嵌合時に両ハウジング１０，２０の嵌合深さを正確に正規の仮嵌合深さに留めることができる。一方、両ハウジング１０，２０を正規嵌合させるべく、レバー５０を所定以上の操作力でもって回動操作すると、カムピン１３が突部５３ｄを乗り越えてカム溝５３の奥方へと進入するのが許容される。
【００３０】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記した実施形態では、カム溝に突部を設けたものを示したが、この突部を省略し、円弧面の形成範囲を適宜に拡大するようにしたものも本発明に含まれる。また逆に円弧面を省略し、両ハウジングが正規の仮嵌合深さに達してすぐにカムピンに引っ掛かるような位置に突部を設けるようにしたものも本発明に含まれる。
【００３１】
（２）上記した実施形態では、弾性係止片がレバーの回動方向にほぼ沿って延出する形態のものを示したが、例えば弾性係止片が前後方向または幅方向に沿って延出する形態のものにおいて、鈎部の被押圧面を両ハウジングの嵌合方向及びレバーの回動方向に対して傾斜するようなテーパ状に形成することで、押圧部からの押圧力をレバーの回動方向に沿った分力として作用させるようにしてもよく、そのようなものも本発明に含まれる。
（３）上記した実施形態では、鈎部の被押圧面を押圧部に対する傾斜面としたものを示したが、それ以外にも例えば曲面を設けるようにしてもよく、要はカムピンから押圧されることでレバーに対して回動方向に沿った分力を付与するカム機能を発揮するのであれば、その形状は任意に設定することができる。
【００３２】
（４）上記した実施形態では、雄ハウジングにレバーを組み付け、雌ハウジングにカムピンを設けたものを示したが、逆に雌ハウジングにレバーを組み付け、雄ハウジングにカムピンを設けたものにも本発明は適用可能である。
（５）上記した実施形態では、防水機能やムービングプレートを備えたものを示したが、非防水タイプのものやムービングプレートを備えていないものにも本発明は適用可能である。
【図面の簡単な説明】
【図１】本発明の一実施形態に係る雄ハウジングの正面図
【図２】雄ハウジングの平面図
【図３】雌ハウジングの正面図
【図４】両ハウジングを嵌合する前の状態を示すものであって、キャビティ部分にて一部切断した平断面図
【図５】両ハウジングを嵌合する前の状態を示すものであって、保護壁を取り除いた平面図
【図６】図５における要部の拡大側断面図
【図７】両ハウジングを仮嵌合する途中の状態を示すものであって、キャビティ部分にて一部切断した平断面図
【図８】両ハウジングを仮嵌合する途中の状態を示すものであって、保護壁を取り除いた平面図
【図９】図８における要部の拡大側断面図
【図１０】両ハウジングが正規の仮嵌合深さに達した状態を示すものであって、キャビティ部分にて一部切断した平断面図
【図１１】両ハウジングが正規の仮嵌合深さに達した状態を示すものであって、保護壁を取り除いた平面図
【図１２】両ハウジングが正規の仮嵌合深さのままレバーのみが回動した状態を示すものであって、キャビティ部分にて一部切断した平断面図
【図１３】両ハウジングが正規の仮嵌合深さのままレバーのみが回動した状態を示すものであって、保護壁を取り除いた平面図
【図１４】両ハウジングが正規嵌合された状態を示すものであって、キャビティ部分にて一部切断した平断面図
【符号の説明】
１０…雌ハウジング（他方のハウジング）
１３…カムピン
１４…解除部
１７…押圧部
２０…雄ハウジング（一方のハウジング）
３０…係止部
５０…レバー
５３…カム溝
５３ｃＬ…円弧面
５３ｄ…突部
５５…弾性係止片
５６ｂ…被押圧面（カム面）
【図１】
0003903815.tif 000002
【図２】
0003903815.tif 000003
【図３】
0003903815.tif 000004
【図４】
0003903815.tif 000005
【図５】
0003903815.tif 000006
【図６】
0003903815.tif 000007
【図７】
0003903815.tif 000008
【図８】
0003903815.tif 000009
【図９】
0003903815.tif 000010
【図１０】
0003903815.tif 000011
【図１１】
0003903815.tif 000012
【図１２】
0003903815.tif 000013
【図１３】
0003903815.tif 000014
【図１４】
0003903815.tif 000015